(57)【要約】【課題】無線通信装置の現在位置に応じて無線通信に用いるチャネルを無線通信装置が自動的にかつ効率良く設定することが可能な無線通信装置を提供する。【解決手段】電源スイッチ２３がオンに設定されると、制御回路１５がＧＰＳ受信器１６を動作させて位置情報を取得させる。制御回路１５は、ＧＰＳ受信器１６が取得した位置情報に基づき無線通信用の周波数帯域を選択する。制御回路１５は、読み出した無線通信用の周波数帯域に含まれる複数のチャネルをＲＯＭ１５ｂから読み出し、読み出した複数のチャネルのそれぞれの電界強度を受信ベースバンド回路１４に検出させる。制御回路１５は、電界強度の検出結果に基づいて電界強度を検出した複数のチャネルの中から無線通信に用いるチャネルを所望のチャネルとして選択する。【選択図】      図１
2004312092.tif 000002
【特許請求の範囲】
【請求項１】
地域によって異なる無線通信用の周波数帯域に含まれる複数のチャネルの中の所望のチャネルを用いて基地局と無線通信が可能な無線通信装置であって、
現在位置を示す位置情報を取得する位置情報取得手段と、
前記位置情報取得手段が取得した位置情報に基づき無線通信用の周波数帯域を選択し、選択した無線通信用の周波数帯域に含まれる複数のチャネルのそれぞれの電界強度を検出し、電界強度の検出結果に基づき前記複数のチャネルの中から所望のチャネルを選択する制御手段とを含むことを特徴とする無線通信装置。
【請求項２】
請求項１に記載の無線通信装置において、
前記制御手段は、
無線通信用の周波数帯域を示す周波数帯域情報と該周波数帯域に含まれる複数のチャネルを示すチャネル情報と該周波数帯域が存在する地域を示す地域情報と該周波数帯域の優先度を示す優先度情報とを関連づけて記憶した第１の記憶手段を含み、
前記位置情報取得手段が取得した位置情報が示す位置を含む地域情報と優先度の高い優先情報とに関連づけられて前記第１の記憶手段に記憶されている周波数帯域情報を選択し、選択した周波数帯域情報に関連づけられているチャネル情報が示す複数のチャネルのそれぞれの電界強度を検出し、電界強度の検出結果に基づき前記複数のチャネルの中から所望のチャネルを選択することを特徴とする無線通信装置。
【請求項３】
請求項１または２に記載の無線通信装置において、ＧＳＭ方式の通信方式により前記基地局と無線通信が可能であることを特徴とする無線通信装置。
【請求項４】
請求項３に記載の無線通信装置において、
前記制御手段は、
通信方式を示す通信方式情報と該通信方式にて定められた無線通信用の周波数帯域を示す周波数帯域情報と該周波数帯域が存在する地域を示す地域情報とを関連づけて記憶した第２の記憶手段をさらに含み、
前記位置情報取得部が取得した位置情報が示す位置を含む地域を示す地域情報に関連づけられた通信方式情報および周波数帯域情報を前記第２の記憶手段から読み込み、
読み込んだ通信方式情報が示す通信方式がＧＳＭ方式である場合には、読み込んだ周波数帯域情報が示す周波数帯域を選択し、選択した周波数帯域に含まれる複数のチャネルのそれぞれの電界強度を検出し、電界強度の検出結果に基づき前記複数のチャネルの中から所望のチャネルを選択し、
読み込んだ通信方式情報が示す通信方式がＧＳＭ方式と異なる通信方式である場合には、読み込んだ周波数帯域情報が示す周波数帯域のチャネルを用いてＧＳＭ方式と異なる通信方式によって基地局と無線通信を行う通信仕様を設定することを特徴とする無線通信装置。
【請求項５】
地域によって異なる無線通信用の周波数帯域に含まれる複数のチャネルの中の所望のチャネルを用いて基地局と無線通信が可能な無線通信装置が行うチャネル選択方法であって、
現在位置を示す位置情報を取得する第１のステップと、
前記第１のステップで取得した位置情報に基づき無線通信用の周波数帯域を選択する第２のステップと、
前記第２のステップで選択した無線通信用の周波数帯域に含まれる複数のチャネルのそれぞれの電界強度を検出する第３のステップと、
前記第３のステップの電界強度の検出結果に基づき前記複数のチャネルの中から所望のチャネルを選択する第４のステップとを含むことを特徴とする無線通信装置のチャネル選択方法。
【請求項６】
請求項５に記載の無線通信装置のチャネル選択方法において、
前記無線通信装置に、無線通信用の周波数帯域を示す周波数帯域情報と該周波数帯域に含まれる複数のチャネルを示すチャネル情報と該周波数帯域が存在する地域を示す地域情報と該周波数帯域の優先度を示す優先度情報とを関連づけて記憶した第１の記憶手段を設け、
前記第２のステップは、前記第１のステップで取得した位置情報が示す位置を含む地域情報と優先度の高い優先情報とに関連づけられて前記第１の記憶手段に記憶されている周波数帯域情報が示す周波数帯域を無線通信用の周波数帯域として選択することを特徴とする無線通信装置のチャネル選択方法。
【請求項７】
請求項５または６に記載の無線通信装置のチャネル選択方法において、前記無線通信装置は、ＧＳＭ方式の通信方式により前記基地局と無線通信が可能であることを特徴とする無線通信装置のチャネル選択方法。
【請求項８】
請求項７に記載の無線通信装置のチャネル選択方法において、
前記無線通信装置に、通信方式を示す通信方式情報と該通信方式にて定められた無線通信用の周波数帯域を示す周波数帯域情報と該周波数帯域が存在する地域を示す地域情報とを関連づけて記憶した第２の記憶手段を設け、
前記第２のステップは、
前記第１のステップで取得した位置情報が示す位置を含む地域を示す地域情報に関連づけられた通信方式情報および周波数帯域情報を前記第２の記憶手段から読み込む第５のステップと、
読み込んだ通信方式情報が示す通信方式がＧＳＭ方式である場合には、読み込んだ周波数帯域情報が示す周波数帯域を選択する第６のステップと、
読み込んだ通信方式情報が示す通信方式がＧＳＭ方式と異なる通信方式である場合には、読み込んだ周波数帯域情報が示す周波数帯域のチャネルを用いてＧＳＭ方式と異なる通信方式によって基地局と無線通信を行う通信仕様を設定する第７のステップとを含むことを特徴とする無線通信装置のチャネル選択方法。
【発明の詳細な説明】
【０００１】
【発明の属する技術分野】
本発明は、無線通信装置および無線通信装置のチャネル選択方法に関し、特には、現在位置に応じて無線通信に使用可能なチャネルを自動的に選択する無線通信装置および無線通信装置のチャネル選択方法に関する。
【０００２】
【従来の技術】
現在、多くの国々においてＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）方式の通信方式を採用した通信システムが採用されている。ＧＳＭ方式は、時分割多元接続（ＴＤＭＡ：Ｔｉｍｅ  Ｄｉｖｉｓｉｏｎ  Ｍｕｌｔｉｐｌｅ  Ａｃｃｅｓｓ）方式を利用した通信システムである。
【０００３】
ＧＳＭ方式の通信システムは、このシステムを採用する国または地域によって使用する周波数帯域が異なっている。
【０００４】
図５は、欧州で採用されているＧＳＭ方式の通信システムであるＥ−ＧＳＭ（Ｅｘｔｅｎｔｅｄ  Ｇｌｏｂａｌ  Ｓｙｓｔｅｍ  ｆｏｒ  Ｍｏｂｉｌｅ  ｃｏｍｍｕｎｉｃａｔｉｏｎ）９００の周波数帯域を示す説明図である。
【０００５】
図５に示すように、Ｅ−ＧＳＭ９００の場合、９００ＭＨｚ帯（無線通信装置の送信帯域が８８０ＭＨｚから９１５ＭＨｚ、無線通信装置の受信帯域が９２５ＭＨｚから９６０ＭＨｚ）の周波数帯域を使用している。また、Ｅ−ＧＳＭ９００の場合、周波数帯域に設定されている各チャネルは２００ｋＨｚの間隔で複数設定されている。
【０００６】
図６は、欧州で採用されているＧＳＭ方式の通信システムであるＤＣＳ（Ｄｉｇｉｔａｌ  Ｃｅｌｌｕｌａｒ  Ｓｙｓｔｅｍ）−１８００の周波数帯域を示す説明図である。
【０００７】
図６に示すように、ＤＳＣ−１８００の場合、１．８ＧＨｚ帯（無線通信装置の送信帯域が１７１０ＭＨｚから１７８５ＭＨｚ、無線通信装置の受信帯域が１８０５ＭＨｚから１８８０ＭＨｚ）の周波数帯域を使用している。また、ＤＳＣ−１８００の場合、周波数帯域に設定されている各チャネルは２００ｋＨｚの間隔で複数設定されている。
【０００８】
図７は、北米とカナダで採用されているＧＳＭ方式の通信システムであるＰＣＳ（Ｐｅｒｓｏｎａｌ  Ｃｏｍｍｕｎｉｃａｔｉｏｎｓ  Ｓｅｒｖｉｃｅｓ）−１９００の周波数帯域を示す説明図である。
【０００９】
図７に示すように、ＰＣＳ−１９００の場合、１．９ＧＨｚ帯（無線通信装置の送信帯域が１８５０ＭＨｚから１９１０ＭＨｚ、無線通信装置の受信帯域が１９３０ＭＨｚから１９９０ＭＨｚ）の周波数帯域を使用している。また、ＰＣＳ−１９００の場合、周波数帯域に設定されている各チャネルは２００ｋＨｚの間隔で複数設定されている。
【００１０】
図８は、北米とカナダで採用されているＧＳＭ方式の通信システムであるＧＭＳ８５０の周波数帯域を示す説明図である。
【００１１】
図８に示すように、ＧＭＳ８５０の場合、８５０ＭＨｚ帯（無線通信装置の送信帯域が８２４ＭＨｚから８４９ＭＨｚ、無線通信装置の受信帯域が８６９ＭＨｚから８９４ＭＨｚ）の周波数帯域を使用している。また、ＧＭＳ８５０の場合、周波数帯域に設定されている各チャネルは２００ｋＨｚの間隔で複数設定されている。
【００１２】
図５と図６に示したように、欧州ではＧＳＭ方式の通信システムとして複数の周波数帯域が存在している。また、図７と図８に示したように、北米とカナダではＧＳＭ方式の通信システムとして複数の周波数帯域が存在している。
【００１３】
従来、ＧＳＭ方式の複数の周波数帯域に対応可能な携帯電話機を使用する場合、ユーザーが複数の周波数帯域の中から所望の周波数帯域を選択していた。
【００１４】
しかしながら、使用する周波数帯域をユーザーが選択する場合、携帯電話機を使用する場所によっては、選択した周波数帯域の無線通信用のチャネルが存在しない状況や、選択した周波数帯域のチャネルの電界が他の周波数帯域のチャネルの電界よりも弱い状況が発生する場合が生じるという問題があった。
【００１５】
特許文献１（特開２０００−１９７１１８号公報）には、使用する周波数帯域をユーザーが選択するのではなく、ＧＰＳ（Ｇｌｏｂａｌ  Ｐｏｓｉｔｉｏｎｉｎｇ  Ｓｙｓｔｅｍ：全地球測位システム）衛星から発射される電波を利用して求められる携帯電話機の現在位置に基づき、携帯電話機が無線通信に使用する周波数帯域を１つだけ選択する無線通信装置の仕様設定方法が記載されている。
【００１６】
【特許文献１】
特開２０００−１９７１１８号公報
【００１７】
【発明が解決しようとする課題】
使用する周波数帯域をユーザーが選択する場合、携帯電話機を使用する場所によっては、選択した周波数帯域の無線通信用チャネルが存在しない状況や、選択した周波数帯域のチャネルの電界が他の周波数帯域のチャネルの電界よりも弱い状況が発生する場合が生じるという問題がある。
【００１８】
なお、ＧＳＭ方式の複数の周波数帯域に対応可能な携帯電話機において、複数の周波数帯域毎に各周波数帯域が有する全チャネルの電界強度を自動的に順番に検出し、検出した電界強度の中で最も強い電界強度を有するチャネルを選択する方法が考えられる。
【００１９】
しかしながら、複数の周波数帯域毎に各周波数帯域が有する全チャネルの電界強度を自動的に順番に検出し、検出した電界強度の中で最も強い電界強度を有するチャネルを選択する場合、無線通信に使用できない周波数帯域のチャネルの電界強度まで検出する可能性があり、チャネルの検出時間が長くなるとともに消費電流の浪費が問題となる。
【００２０】
特許文献１に記載の無線通信装置の仕様設定方法は、無線通信に使用する周波数帯域を１つ選択するだけである。特許文献１に記載の無線通信装置の仕様設定方法では、周波数帯域に含まれるチャネルの電界強度を検出していないので、電界強度が弱くて無線通信に使用できないチャネルを無線通信に用いるチャネルとして選択してしまうという問題が発生する可能性がある。
【００２１】
本発明の目的は、無線通信装置の現在位置に応じて無線通信に用いるチャネルを無線通信装置が自動的にかつ効率良く設定することが可能な無線通信装置および無線通信装置のチャネル選択方法を提供することである。
【００２２】
【課題を解決するための手段】
上記の目的を達成するために、本発明の無線通信装置および無線通信装置のチャネル選択方法は、位置情報取得手段が取得した位置情報に基づき選択した無線通信用の周波数帯域に含まれる複数のチャネルのそれぞれの電界強度を検出し、その検出結果に基づき複数のチャネルの中から所望のチャネルを制御手段が選択するので、チャネル選択操作をユーザーが行うことなく、無線通信に用いるチャネルを無線通信装置が自動的に設定可能となる。
【００２３】
また、選択した無線通信用の周波数帯域に含まれる複数のチャネルのそれぞれの電界強度を検出するので、電界強度検出の必要性の低い無線通信用の周波数帯域に含まれる複数のチャネルについて電界強度を検出することを防止できる。よって、チャネルの検出時間が長くなることを防止でき、消費電流の浪費を解消可能となる。
【００２４】
また、本発明の無線通信装置および無線通信装置のチャネル選択方法は、無線通信用の周波数帯域を示す周波数帯域情報と該周波数帯域に含まれる複数のチャネルを示すチャネル情報と該周波数帯域が存在する地域を示す地域情報と該周波数帯域の優先度を示す優先度情報とを関連づけて記憶した第１の記憶手段を含み、位置情報取得手段が取得した位置情報が示す位置を含む地域情報と優先度の高い優先情報とに関連づけられて第１に記憶手段に記憶されている周波数帯域情報を選択し、選択した周波数帯域情報に関連づけられているチャネル情報が示す複数のチャネルのそれぞれの電界強度を検出し、電界強度の検出結果に基づき前記複数のチャネルの中から所望のチャネルを選択するので、優先度の高い周波数帯域が選択され、効率的にチャネルを選択可能となる。
【００２５】
また、本発明の無線通信装置および無線通信装置のチャネル選択方法は、無線通信装置がＧＳＭ方式の通信方式により基地局と無線通信が可能であることが好ましい。
【００２６】
また、本発明の無線通信装置および無線通信装置のチャネル選択方法は、通信方式を示す通信方式情報と該通信方式にて定められた無線通信用の周波数帯域を示す周波数帯域情報と該周波数帯域が存在する地域を示す地域情報とを関連づけて記憶した第２の記憶手段をさらに含み、前記位置情報取得部が取得した位置情報が示す位置を含む地域を示す地域情報に関連づけられた通信方式情報および周波数帯域情報を前記第２の記憶手段から読み込み、読み込んだ通信方式情報が示す通信方式がＧＳＭ方式である場合には、読み込んだ周波数帯域情報が示す周波数帯域を選択し、選択した周波数帯域に含まれる複数のチャネルのそれぞれの電界強度を検出し、電界強度の検出結果に基づき前記複数のチャネルの中から所望のチャネルを選択し、読み込んだ通信方式情報が示す通信方式がＧＳＭ方式と異なる通信方式である場合には、読み込んだ周波数帯域情報が示す周波数帯域のチャネルを用いてＧＳＭ方式と異なる通信方式によって基地局と無線通信を行う通信仕様を設定する。
【００２７】
したがって、複数種類の通信方式に対応可能な無線通信装置において、現在位置に応じて自動的に通信方式を設定可能となる。
【００２８】
【発明の実施の形態】
以下、本発明の実施の形態を図面に示す一実施例に基づき説明する。
【００２９】
図１は、本発明の一実施例の無線通信装置を示したブロック図である。本実施例では、無線通信装置として無線電話装置を用いる。なお、無線通信装置は、無線電話装置に限らず、適宜変更可能である。
【００３０】
図１において、無線電話装置は、制御部１０と、アンテナ１１と、送受共用器１２と、ＧＰＳ受信器１６と、受話器１７と、ダイヤル操作部１８と、表示器１９と、送話部２０と、送信ベースバンド回路２１と、送信器２２および電源スイッチ２３とを含む。制御手段としての制御部１０は、受信器１３と受信ベースバンド回路１４と制御回路１５とを含む。無線電話装置は、基地局１００と無線通信を行う。
【００３１】
無線電話装置と基地局１００との間の通信方式は、時分割多元接続方式の通信方式のＧＳＭ方式を用いる。
【００３２】
アンテナ１１は、基地局１００から送信された無線通信用の信号を受信し、受信した信号を送受共用器１２に出力する。アンテナ１１は、送受共用器１２から供給される送信信号を基地局１００に送信する。
【００３３】
送受共用器１２は、例えば切換えスイッチで構成される。送受共用器１２は、制御回路１５により制御される。送受共用器１２は、アンテナ１１から入力する信号を受信器１３に出力する。送受共用器１２は、送信器２２から供給される送信信号をアンテナ１１に出力する。
【００３４】
受信器１３は、送受共用器１２から出力された信号から所定の周波数帯域（チャネル）の信号を抽出する。受信器１３が抽出するチャネルは、制御回路１５により設定される。受信器１３は、抽出したチャネルの信号を受信ベースバンド回路１４に出力する。
【００３５】
受信ベースバンド回路１４は、制御回路１５によって制御される。
【００３６】
受信ベースバンド回路１４は、受信器１３が抽出したチャネルの信号すなわち送信用の変調された信号をベースバンド信号に復調する。復調されたベースバンド信号は、時分割多重された信号となる。受信ベースバンド回路１４は、時分割多重されているベースバンド信号の中から所定のスロット内の信号だけを抽出する処理を行う。
【００３７】
受信ベースバンド回路１４は、抽出した所定のスロット内の信号の中の音声信号のデータを受話器１７に供給する。受話器１７は、受信ベースバンド回路１４から供給された音声信号のデータに応じた音声を報音する。
【００３８】
受信ベースバンド回路１４は、受信器１３が抽出したチャネルの電界強度を示すＲＳＳＩ（Ｒｅｃｅｉｖｅｄ  Ｓｉｇｎａｌ  Ｓｔｒｅｎｇｔｈ  Ｉｎｄｉｃａｔｏｒ）信号を制御回路１５に出力する。制御回路１５は、受信ベースバンド回路１４から出力されるＲＳＳＩ信号に基づき無線通信に用いる所望のチャネルを選択する。
【００３９】
送話器２０は、ユーザーから発せられた音声を音声信号に変換する。送話器２０は、音声信号を送信ベースバンド回路２１に出力する。
【００４０】
送信ベースバンド回路２１は、制御回路１５によって制御される。
【００４１】
送信ベースバンド回路２１は、送話器２０から出力された音声信号をＧＳＭ方式で適用されるフォーマットのデジタル音声データに変換する。送信ベースバンド回路２１は、デジタル音声データを所定のスロット内に配置させる送信処理を行う。送信ベースバンド回路２１は、生成したスロット構成の送信データを送信器２２に出力する。
【００４２】
送信器２２は、送信ベースバンド回路２１が出力した送信データを所定の周波数帯域（チャネル）の送信信号に変調し、この送信信号を送受共用器１２を介してアンテナ１１に供給し、アンテナ１１から送信信号を無線送信させる。
【００４３】
位置情報取得手段としてのＧＰＳ受信器１６は、ＧＰＳ用衛星から受信した信号に基づいて自身の位置情報を取得する。ＧＰＳ受信器１６は、取得した位置情報を制御回路１５に出力する。
【００４４】
ダイヤル操作部１８は、ダイヤルキーやファンクションキーなどの操作キーを備える。ダイヤル操作部１８は、制御回路１５に接続されている。
【００４５】
表示器１９は、通話状態やダイヤル番号などの表示を行う。表示器１９は、制御回路１５に接続されている。
【００４６】
電源スイッチ２３は、無線電話装置に対する電源のオンとオフとを設定するためのスイッチである。電源スイッチ２３は制御回路１５と接続する。
【００４７】
制御回路１５は、ＣＰＵ１５ａとＲＯＭ１５ｂとＲＡＭ１５ｃとを有する。
【００４８】
ＲＯＭ１５ｂは、無線電話装置の制御プログラムを記憶している。ＣＰＵ１５ａは、ＲＯＭ１５ｂに記憶された制御プログラムと情報とを読み出し、読み出した制御プログラムと情報に基づき種々の動作を制御する。
【００４９】
ＲＯＭ１５ｂは、無線通信用の周波数帯域を示す周波数帯域情報と該周波数帯域に含まれる複数のチャネルを示すチャネル情報と該周波数帯域が存在する地域を示す地域情報とを関連づけて記憶している。
【００５０】
第１の記憶手段としてのＲＯＭ１５ｂは、無線通信用の周波数帯域を示す周波数帯域情報と該周波数帯域に含まれる複数のチャネルを示すチャネル情報と該周波数帯域が存在する地域を示す地域情報と該周波数帯域の優先度を示す優先度情報とを関連づけて記憶している。なお、本実施例では、所定地域として欧州と北米とカナダを用いる。
【００５１】
図２は、ＲＯＭ１５ｂが記憶している情報の一例を示した説明図である。
【００５２】
ＲＯＭ１５ｂは、図２に示すように、情報の番号を示す番号情報１５ｂ１と無線通信用の周波数帯域を示す周波数帯域情報１５ｂ４と、該周波数帯域に含まれる複数のチャネルを示すチャネル情報１５ｂ５と、該周波数帯域が存在する地域を示す地域情報１５ｂ２と、該周波数帯域の優先度を示す優先度情報１５ｂ３とを関連づけて記憶している。
【００５３】
図２において、番号１で示した情報は、図５で示したＥ−ＧＳＭ９００に対応する。番号２で示した情報は、図６で示したＤＳＣ−１８００に対応する。番号３で示した情報は、図７で示したＰＣＳ−１９００に対応する。番号４で示した情報は、図８で示したＧＭＳ８５０に対応する。
【００５４】
図２において、番号１で示したＥ−ＧＳＭ９００と番号２で示したＤＳＣ−１８００とは、いずれも欧州が対象地域である。
【００５５】
本実施例では、番号１で示したＥ−ＧＳＭ９００の情報に優先度の高いことを示す優先情報「１」を関連づけてＲＯＭ１５ｂに格納してある。また、番号２で示したＤＳＣ−１８００の情報に優先度の低いことを示す優先情報「２」を関連づけてＲＯＭ１５ｂに格納してある。
【００５６】
また、番号３で示したＰＣＳ−１９００と番号４で示したＧＭＳ８５０とは、いずれも北米とカナダが対象地域である。
【００５７】
本実施例では、番号３で示したＰＣＳ−１９００の情報に優先度の高いことを示す優先情報「１」を関連づけてＲＯＭ１５ｂに格納してある。また、番号４で示したＧＭＳ８５０の情報に優先度の低いことを示す優先情報「２」を関連づけてＲＯＭ１５ｂに格納してある。
【００５８】
制御部１０、具体的には周波数帯域選択手段としての制御回路１５は、ＧＰＳ受信器１６が取得した位置情報に基づき無線通信用の周波数帯域を選択する。
【００５９】
具体的には、制御回路１５、さらに具体的にはＣＰＵ１５ａは、ＧＰＳ受信器１６が取得した位置情報が示す位置を含む地域に対応した無線通信用の周波数帯域をＲＯＭ１５ｂから読み出す。
【００６０】
また、制御部１０、具体的には制御回路１５、さらに具体的にはＣＰＵ１５ａは、ＧＰＳ受信器１６が取得した位置情報が示す位置が欧州または北米またはカナダのいずれかに含まれる場合、ＲＯＭ１５ｂから優先度の高い優先情報が関連づけられている無線通信用の周波数帯域を選択する。
【００６１】
制御回路１５、さらに具体的にはＣＰＵ１５ａは、読み出した無線通信用の周波数帯域に含まれる複数のチャネルをＲＯＭ１５ｂから読み出し、読み出した複数のチャネルのそれぞれの電界強度を受信器１３と受信ベースバンド回路１４とに検出させる。
【００６２】
受信器１３と受信ベースバンド回路１４とで構成される電界強度検出手段は、、制御回路１５が選択した無線通信用の周波数帯域に含まれる複数のチャネルのそれぞれの電界強度を検出する。
【００６３】
具体的には、制御回路１５、さらに具体的にはＣＰＵ１５ａは、選択した無線通信用の周波数帯域に含まれる複数のチャネルを択一的に順番に受信器１３によって抽出させるチャネル選択信号を受信器１３に出力する。
【００６４】
受信器１３は、チャネル選択信号に基づき、選択した無線通信用の周波数帯域に含まれる複数のチャネルを択一的に順番に抽出する。受信器１３は、抽出した複数のチャネルの信号を順番に受信ベースバンド回路１４に出力する。
【００６５】
受信ベースバンド回路１４は、受信器１３が出力する複数のチャネルのそれぞれの電界強度を検出する。具体的には、受信ベースバンド回路１４は、受信器１３が出力する複数のチャネルのそれぞれの電界強度を示すＲＳＳＩ信号を順番に制御回路１５に出力する。
【００６６】
制御部１０、具体的にはチャネル選択手段としての制御回路１５は、電界強度の検出結果に基づいて電界強度を検出した複数のチャネルの中から電界強度が最も強いチャネルを所望のチャネルとして選択する。
【００６７】
具体的には、制御回路１５、さらに具体的にはＣＰＵ１５ａは、受信ベースバンド回路１４が出力する複数のチャネルのＲＳＳＩ信号に基づき、電界の強いチャネルを選択する。
【００６８】
次に、動作を説明する。
【００６９】
図３は、図１に示した無線電話装置の動作を説明するためのフローチャートである。以下、図３を参照して動作を説明する。なお、制御回路１５が行う動作は、制御部１０が行う動作とみなすことができる。また、受信部１３が行う動作および受信ベースバンド回路１４が行う動作は、制御部１０が行う動作とみなすことができる。
【００７０】
電源スイッチ２３がオンに設定されると（ステップＳ０）、制御部１０はＧＰＳ受信器１６を動作させる。具体的には、制御回路１５がＧＰＳ受信器１６を動作させる。
【００７１】
ＧＰＳ受信器１６は、ＧＰＳ用衛星から受信した信号に基づいて自身の位置情報を取得する。ＧＰＳ受信機１６は、取得した位置情報を制御回路１５に出力する。
【００７２】
制御回路１５は、ＧＰＳ受信器１６が取得した位置情報に基づき無線通信用の周波数帯域を選択する（ステップＳ１）。
【００７３】
具体的には、ＣＰＵ１５ａは、ＧＰＳ受信器１６が取得した位置情報が示す位置を含む地域に関連づけられた無線通信用の周波数帯域を示す周波数帯域情報をＲＯＭ１５ｂから読み出す。
【００７４】
例えば、ＧＰＳ受信器１６が取得した位置情報が示す位置が欧州に含まれる場合、ＣＰＵ１５ａは欧州を地域として含むＥ−ＧＳＭ９００の周波数帯域情報またはＤＣＳ−１８００の周波数帯域情報を読み出す。
【００７５】
なお、本実施例の場合、図２に示すようにＥ−ＧＳＭ９００とＤＣＳ−１８００とに優先度を示す優先情報が関連づけてあるので、この優先情報に基づき、ＣＰＵ１５ａは、Ｅ−ＧＳＭ９００の周波数帯域を無線通信用の周波数帯域として選択する。よって、周波数帯域に含まれるチャネルを効率的に選択可能となる。
【００７６】
制御回路１５は、読み出した無線通信用の周波数帯域に含まれる複数のチャネルをＲＯＭ１５ｂから読み出し、読み出した複数のチャネルのそれぞれの電界強度を検出する（ステップＳ２）。
【００７７】
従来技術から考えられる電界強度を検出する方法では、上記のステップＳ２における各チャネルの電界強度の検出が各周波数帯域に対して行われる（ステップＳ３）が、本実施例においては、ステップＳ３は実行されることなく、ステップＳ１で選択された周波数帯域に対してのみステップＳ２による電界強度の検出が行われる。、
具体的には、ＣＰＵ１５ａは、選択した無線通信用の周波数帯域に含まれる２００ｋＨｚごとの複数のチャネルを択一的に順番に受信器１３によって抽出させるチャネル選択信号を受信器１３に出力する。
【００７８】
受信器１３は、チャネル選択信号に基づき、選択した無線通信用の周波数帯域に含まれる複数のチャネルを択一的に順番に抽出する。受信器１３は、抽出した複数のチャネルの信号を順番に受信ベースバンド回路１４に出力する。
【００７９】
受信ベースバンド回路１４は、受信器１３が出力する複数のチャネルのそれぞれの電界強度を検出する。具体的には、受信ベースバンド回路１４は、受信器１３が出力する複数のチャネルのそれぞれの電界強度を示すＲＳＳＩ信号を順番に制御回路１５に出力する。
【００８０】
制御回路１５は、電界強度の検出結果に基づいて電界強度を検出した複数のチャネルの中から無線通信に用いるチャネルを所望のチャネルとして選択する。
【００８１】
具体的には、ＣＰＵ１５ａは、受信ベースバンド回路１４が出力する複数のチャネルのＲＳＳＩ信号に基づき、電界の強いチャネルを選択する。
【００８２】
制御回路１５は、選択した電界の最も強いチャネルを受信器１３に抽出させるチャネル抽出指定信号を受信器１３に出力する。
【００８３】
受信器１３は、チャネル抽出指定信号に基づき、送受共用器１２が出力する信号から電界の最も強いチャネルを抽出する。受信器１３は抽出したチャネルの信号を受信ベースバンド回路１４に出力する。
【００８４】
受信ベースバンド回路１４は、受信器１３が抽出したチャネルの信号をベースバンド信号に復調する。受信ベースバンド回路１４は復調したベースバンド信号を制御回路１５に出力する。
【００８５】
制御回路１５は、受信ベースバンド回路１４が出力するベースバンド信号が有する同期信号等のフレーム情報を検出する（ステップＳ４）。
【００８６】
制御回路１５は、受信ベースバンド回路１４が出力するベースバンド信号から同期信号等のフレーム情報を検出できた場合、検出した同期信号に、制御回路１５内の同期信号発生部が出力する同期信号を同期させ、基地局からの信号を待ち受ける状態にする（ステップＳ５）。
【００８７】
制御回路１５は、受信ベースバンド回路１４が出力するベースバンド信号から同期信号等のフレーム情報を検出できない場合、ステップＳ２で検出した複数のチャネルのＲＳＳＩ信号に基づき、先に選択したチャネルの次に電界の強いチャネルを選択する。
【００８８】
制御回路１５は、選択したチャネルを受信器１３に抽出させるチャネル抽出指定信号を受信器１３に出力する。
【００８９】
受信器１３は、チャネル抽出指定信号に基づき、送受共用器１２が出力する信号から選択したチャネルを抽出する。受信器１３は抽出したチャネルの信号を受信ベースバンド回路１４に出力する。
【００９０】
以下、上記と同様な動作を行う。なお、制御回路１５は、受信ベースバンド回路１４が出力するベースバンド信号から同期信号等のフレーム情報を検出できない場合、ステップＳ２で検出した複数のチャネルのＲＳＳＩ信号に基づき、制御回路１５が出力しているチャネル抽出指定信号によって指定されているチャネルの次に電界が強いチャネルを指定していくようにチャネル抽出指定信号を変更していく。
【００９１】
本実施例は、該当地域の周波数帯域を無線電話装置の電源オンに伴い把握し、該当周波数帯域のチャネルの電界強度のみを直接検出することができる。したがって、複数の周波数帯域のすべてのチャネルの電界強度を検出する場合（図３のステップＳ３を実行する場合）に比べて無線電話装置の低消費電力化および操作性向上が図れる。特に、無線電話装置は、消費電流にシビアであり、必要性の低い消費電流を抑えることは特に重要となる。
【００９２】
なお、ＧＳＭ方式とＧＳＭ方式と異なる無線通信方式とに対応可能な無線電話装置においては、通信方式を示す通信方式情報と該通信方式にて定められた無線通信用の周波数帯域を示す周波数帯域情報と該周波数帯域が存在する地域を示す地域情報とを関連づけて第２の記憶手段としてのＲＯＭ１５ｂに記憶しておき、制御部１０が、ＧＰＳ受信部１６が取得した位置情報に関連づけられた通信方式と該通信方式にて定められた無線通信用の周波数帯域とを選択するようにしてもよい。
【００９３】
具体的には、制御部１０が、ＧＰＳ受信部１６が取得した位置情報が示す位置を含む地域に関連づけられた通信方式と該通信方式にて定められた無線通信用の周波数帯域とをＲＯＭ１５ｂから読み込み、読み込んだ通信方式がＧＳＭ方式である場合には、読み込んだ無線通信用の周波数帯域を選択し、選択した無線通信用の周波数帯域に含まれる複数のチャネルのそれぞれの電界強度を検出し、電界強度の検出結果に基づき前記複数のチャネルの中から所望のチャネルを選択し、読み込んだ通信方式がＧＳＭ方式と異なる通信方式である場合には、読み込んだ周波数帯域情報が示す周波数帯域のチャネルを用いてＧＳＭ方式と異なる通信方式によって基地局と無線通信を行う通信仕様を設定する。
【００９４】
図４は、ＲＯＭ１５ｂが記憶している情報の一例を示した説明図である。なお、図４において、図２で示した情報と同じ情報には同一符号を附してある。
【００９５】
図４に示すように、ＲＯＭ１５ｂには、通信方式を示す通信方式情報１５ｂ６と該通信方式にて定められた無線通信用の周波数帯域を示す周波数帯域情報１５ｂ４と該周波数帯域が存在する地域を示す地域情報１５ｂ２とを関連づけて記憶してある。
【００９６】
例えば、制御回路１５は、ＧＰＳ受信部１６が取得した位置情報が示す位置に対応する通信方式をＲＯＭ１５ｂの記憶情報に基づき選択するとともに選択した通信方式に対応する無線通信用の周波数帯域を選択する。
【００９７】
選択した通信方式がＧＳＭ方式の場合には、図３に示した動作と同様の動作が実行される。具体的には、制御回路１５は、選択した無線通信用の周波数帯域に含まれる複数のチャネルのそれぞれの電界強度を検出し、電界強度の検出結果に基づき前記複数のチャネルの中から所望のチャネルを選択する。制御回路１５は、選択したＧＳＭ方式に応じた通信仕様を受信ベースバンド回路１４および制御回路１５に設定し、所望のチャネルを用いた無線通信を行う。
【００９８】
制御回路１５は、選択した通信方式がＧＳＭ方式と異なる場合には、ＧＳＭ方式と異なる通信方式によって該通信方式にて定められた周波数帯域のチャネルを用いて基地局と無線通信を行う通信仕様を受信ベースバンド回路１４と制御回路１５とに設定する。なお、各通信仕様は、ＲＯＭ１５ｂに予め格納しておく。
【００９９】
以上説明した実施例において、図示した構成は単なる一例であって、本発明はその構成に限定されるものではない。
【０１００】
【発明の効果】
本発明によれば、位置情報取得手段が取得した位置情報に基づき周波数帯域選択手段が選択した無線通信用の周波数帯域に含まれる複数のチャネルのそれぞれの電界強度を電界強度検出手段が検出し、その検出結果に基づき複数のチャネルの中から無線通信に用いるチャネルをチャネル選択手段が選択するので、チャネル選択操作をユーザーが行うことなく、無線通信に用いるチャネルを無線通信装置が自動的に設定可能となる。
【０１０１】
また、選択した無線通信用の周波数帯域に含まれる複数のチャネルのそれぞれの電界強度を検出するので、電界強度検出の必要性の低い無線通信用の周波数帯域に含まれる複数のチャネルについて電界強度を検出することを防止できる。よって、チャネルの検出時間が長くなることを防止でき、消費電流の浪費を解消可能となる。
【図面の簡単な説明】
【図１】本発明の一実施例の無線通信装置を示したブロック図である。
【図２】図１に示したＲＯＭ１５ｂに記憶される情報をを説明するための説明図である。
【図３】本実施例の動作を説明するためのフローチャートである。
【図４】図１に示したＲＯＭ１５ｂに記憶される情報をを説明するための説明図である。
【図５】Ｅ−ＧＳＭ９００の周波数帯域とチャネルを説明するための説明図である。
【図６】ＤＣＳ−１８００の周波数帯域とチャネルを説明するための説明図である。
【図７】ＰＣＳ−１９００の周波数帯域とチャネルを説明するための説明図である。
【図８】ＧＳＭ８５０の周波数帯域とチャネルを説明するための説明図である。
【符号の説明】
１０      制御部
１１      アンテナ
１２      送受共用器
１３      受信器
１４      受信ベースバンド回路
１５      制御回路
１５ａ    ＣＰＵ
１５ｂ    ＲＯＭ
１５ｃ    ＲＡＭ
１６      ＧＰＳ受信器
１７      受話器
１８      ダイヤル操作部
１９      表示部
２０      送話部
２１      送信ベースバンド回路
２２      送信器
２３      電源スイッチ
１００      基地局
【図１】
2004312092.tif 000003
【図２】
2004312092.tif 000004
【図３】
2004312092.tif 000005
【図４】
2004312092.tif 000006
【図５】
2004312092.tif 000007
【図６】
2004312092.tif 000008
【図７】
2004312092.tif 000009
【図８】
2004312092.tif 000010